(57)【要約】【課題】パッキンにおける第１環状部と第２環状部との間の隙間に溜まった液体を排出できる炊飯器を得ることを目的とする。【解決手段】炊飯器は、本体と、内釜と、蓋体と、を備え、蓋体は、内蓋を有し、内蓋は、パッキンを有し、パッキンは、取付部と、第１環状部と、第２環状部と、を有し、パッキンには、第１環状部と第２環状部との間の隙間に溜まった液体を排出する排出部が形成された。【選択図】図２
2018153315.tif 000002
【特許請求の範囲】
【請求項１】
上方が開口した本体と、
前記本体の開口から前記本体内に出し入れ自在に収納される上方が開口した内釜と、
前記本体に回動自在に設けられ、前記本体の開口を覆う蓋体と、
を備え、
前記蓋体は、前記蓋体の下面側に取り付けられ、前記内釜の開口を覆う内蓋を有し、
前記内蓋は、前記内釜の開口を覆うときに前記内釜の上端部と接触して密封するパッキンを有し、
前記パッキンは、前記内蓋に取り付けられる取付部と、前記取付部から半径方向の外方かつ下方に延出される第１環状部と、前記第１環状部の下端部から屈曲して半径方向の内方かつ下方に延出され、外面が前記内釜の前記上端部と接触する第２環状部と、を有し、
前記内蓋には、前記第１環状部と前記第２環状部との間の隙間に溜まった液体を排出する排出部が形成された炊飯器。
【請求項２】
前記排出部は、前記内蓋に取り付けられ、前記パッキンにおける前記第１環状部と前記第２環状部との間の隙間を広げるように前記第２環状部を前記パッキンの屈曲力に抗ってめくって保持する保持部である請求項１に記載の炊飯器。
【請求項３】
前記保持部は、前記パッキンにおける前記第１環状部と前記第２環状部との間の隙間を広げるように前記第２環状部を前記パッキンの屈曲力に抗って係止する爪部を有し、
前記爪部は、前記保持部の中央部から離間して前記中央部の両側に設けられた請求項２に記載の炊飯器。
【請求項４】
前記保持部は、前記第２環状部を保持する先端に傾斜領域を有する請求項２または３に記載の炊飯器。
【請求項５】
前記内蓋は、前記蓋体から取り外す際に使用者が手に持つ持ち手部を有し、
前記保持部は、前記持ち手部に設けられた請求項２〜４のいずれか１項に記載の炊飯器。
【請求項６】
前記パッキンは、前記保持部に保持される範囲を他の範囲よりも厚肉に形成された請求項２〜５のいずれか１項に記載の炊飯器。
【請求項７】
前記内蓋は、前記蓋体から取り外された状態で、前記保持部を下側に位置させて表面を鉛直方向に平行に立てる支持部を有した請求項２〜６のいずれか１項に記載の炊飯器。
【請求項８】
前記保持部は、前記蓋体に取り付けられる側に突出部を有し、前記第２環状部を保持した状態で前記蓋体に取り付けたときに、前記突出部が前記蓋体に押圧され、前記第２環状部の保持を解除する請求項２〜７のいずれか１項に記載の炊飯器。
【請求項９】
前記排出部は、前記第１環状部における前記第２環状部に繋がる屈曲部近傍にて内面と外面とに貫通した孔部であり、
前記孔部は、前記内蓋が前記蓋体に取り付けられた状態で、前記内蓋が前記内釜の開口を覆うときに、前記内蓋に塞がれる請求項２に記載の炊飯器。
【請求項１０】
前記孔部は、前記内蓋が前記蓋体に取り付けられた状態で、前記内蓋が前記内釜の開口を開放するように前記本体から開かれたときに、前記内蓋の中心より上側の位置に形成された請求項９に記載の炊飯器。
【請求項１１】
前記内蓋は、前記蓋体から取り外された状態で、前記孔部を下側に位置させて表面を鉛直方向に平行に立てる支持部を有した請求項９または１０に記載の炊飯器。
【発明の詳細な説明】
【技術分野】
【０００１】
本発明は、蓋体の下面側に取り付けられる内蓋と、内蓋が内釜の開口を覆うときに内釜の上端部と接触して密封するパッキンと、を有した蓋体を備えた炊飯器に関する。
【背景技術】
【０００２】
従来の炊飯器では、蓋体の内蓋である放熱板に、内蓋が内釜の開口を覆うときに内釜の上端部と接触して密封するパッキンを有していた（たとえば、特許文献１参照）。
【先行技術文献】
【特許文献】
【０００３】
【特許文献１】特許第３８７７９６６号公報
【発明の概要】
【発明が解決しようとする課題】
【０００４】
このようなパッキンは、放熱板に取り付けられる取付部から半径方向の外方かつ下方に延出される第１環状部と、第１環状部の下端部から屈曲して半径方向の内方かつ下方に延出され、外面が内釜の上端部と接触する第２環状部と、を有している。
ここで、放熱板は、使用後に蓋体から取り外され、使用者が洗浄する。このような放熱板の洗浄を行うと、パッキンにおける第１環状部と第２環状部との間の隙間に洗浄時の水が溜まって残ってしまう課題があった。
【０００５】
本発明は、上記課題を解決するためのものであり、パッキンにおける第１環状部と第２環状部との間の隙間に溜まった液体を排出できる炊飯器を得ることを目的とする。
【課題を解決するための手段】
【０００６】
本発明の炊飯器は、上方が開口した本体と、前記本体の開口から前記本体内に出し入れ自在に収納される上方が開口した内釜と、前記本体に回動自在に設けられ、前記本体の開口を覆う蓋体と、を備え、前記蓋体は、前記蓋体の下面側に取り付けられ、前記内釜の開口を覆う内蓋を有し、前記内蓋は、前記内釜の開口を覆うときに前記内釜の上端部と接触して密封するパッキンを有し、前記パッキンは、前記内蓋に取り付けられる取付部と、前記取付部から半径方向の外方かつ下方に延出される第１環状部と、前記第１環状部の下端部から屈曲して半径方向の内方かつ下方に延出され、外面が前記内釜の前記上端部と接触する第２環状部と、を有し、前記内蓋には、前記第１環状部と前記第２環状部との間の隙間に溜まった液体を排出する排出部が形成されたものである。
【発明の効果】
【０００７】
本発明に係る炊飯器によれば、内蓋には、第１環状部と第２環状部との間の隙間に溜まった液体を排出する排出部が形成された。これにより、第１環状部と第２環状部との間の隙間に溜まった液体は、排出部から排出される。したがって、パッキンにおける第１環状部と第２環状部との間の隙間に溜まった液体を排出できる。
【図面の簡単な説明】
【０００８】
【図１】本発明の実施の形態１に係る炊飯器を示す外観斜視図である。
【図２】本発明の実施の形態１に係る炊飯器を図１のＡ−Ａ断面で示す概略構成図である。
【図３】本発明の実施の形態１に係る炊飯器を図１のＢ−Ｂ断面で示す概略構成図である。
【図４】本発明の実施の形態１に係る炊飯器の排出構造を図３のＣ部で示す拡大図である。
【図５】本発明の実施の形態１に係る炊飯器の排出構造の排水状態を示す拡大図である。
【図６】本発明の実施の形態１に係る炊飯器の内蓋を単体で立てた状態を示す説明図である。
【図７】本発明の実施の形態１に係る炊飯器の排出構造の排水状態を図６のＤ部で示す拡大図である。
【図８】本発明の実施の形態１に係る炊飯器の排出構造の他の例を図３のＣ部で示す拡大図である。
【図９】本発明の実施の形態１に係る炊飯器の内蓋の他の例を示す説明図である。
【図１０】本発明の実施の形態２に係る炊飯器の排出構造を図３のＣ部で示す拡大図である。
【図１１】本発明の実施の形態２に係る炊飯器の排出構造を炊飯器の使用状態で示す拡大図である。
【図１２】本発明の実施の形態２に係る炊飯器の内蓋を蓋体の開いた状態で示す説明図である。
【図１３】本発明の実施の形態２に係る炊飯器の内蓋を単体で立てた状態を示す説明図である。
【図１４】本発明の実施の形態２に係る炊飯器の排出構造の他の例を図３のＣ部で示す拡大図である。
【図１５】本発明の実施の形態２に係る炊飯器の排出構造の他の例を炊飯器の使用状態で示す拡大図である。
【発明を実施するための形態】
【０００９】
以下に、本発明に係る炊飯器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１０】
実施の形態１．
＜炊飯器１の全体構成＞
図１は、本発明の実施の形態１に係る炊飯器１を示す外観斜視図である。図２は、本発明の実施の形態１に係る炊飯器１を図１のＡ−Ａ断面で示す概略構成図である。図３は、本発明の実施の形態１に係る炊飯器１を図１のＢ−Ｂ断面で示す概略構成図である。
【００１１】
図１〜図３に示すように、炊飯器１は、胴回りが楕円の円筒形状のものである。炊飯器１は、本体２と、蓋体３と、を備えている。本体２と蓋体３とは、それぞれ用途に応じた樹脂素材や金属材料で形成されている。なお、本体２と蓋体３とは、樹脂素材を用いずに構成されても良く、外装に金属板を加工しても良い。本体２は、上方を開口させている。蓋体３は、本体２に回動自在に設けられ、本体２の開口を覆う。
【００１２】
図１に示すように、本体２は、前面側に操作結果あるいは動作状況を表示する表示パネル５の表示内容を視認できる透過性のある表示窓６が設けられている。図２に示すように、表示パネル５下方には、本体２の内部空間が形成されている。内部空間は、基板室７となっている。
【００１３】
図１に示すように、表示窓６の周辺には、炊飯器１を操作する各種の操作キーを有する操作部８が設けられている。各種の操作キーは、それぞれ炊飯、保温、予約などの機能が与えられている。操作部８は、表示窓６から見える表示パネル５の表示内容を確認しながら操作できる。
【００１４】
図２に示すように、基板室７には、操作表示基板９が収容されている。操作表示基板９には、操作部８の操作キーの入力を行う図示しないスイッチと、耐熱性の樹脂で形成された保持部材に保持された上述の表示パネル５と、が搭載されている。また、操作表示基板９は、本体２内の電源基板１０と図示しないフラットケーブルを介して電気的に接続されている。
【００１５】
図１および図２に示すように、蓋体３の後方寄りには、炊飯時に発生する蒸気を炊飯器１から排出する排気口１１が設けられている。排気口１１は、蓋体３に設けられた排気カートリッジ１２に形成されている。なお、排気口１１を有しないタイプの炊飯器１であっても良い。
【００１６】
図２に示すように、本体２の後側には、本体２に蓋体３を回動自在に取り付ける回動軸１４が設けられている。蓋体３は、回動軸１４を中心に回動する。蓋体３は、蓋体３に設けられた係合部３ａと、係止解除ボタン１３に設けられた係止部１３ａと、が係合することにより、本体２の上面を閉塞している。係止解除ボタン１３を押し込むことにより、係合部３ａと係止部１３ａとの係合が外れる。これにより、蓋体３は、本体２の後側に設けられた回動軸１４を中心にして、開放方向への付勢力を蓋体３に付与した付勢バネ１５により、所定の位置まで回動して本体２内を開放する。
【００１７】
本体２には、被炊飯物である水と米とを収容する上方を開口した内釜４が本体２内に出し入れ自在に収納されている。
【００１８】
内釜４には、上端部に、フランジ部４ａが設けられている。フランジ部４ａは、本体上側部材１６と後述する内蓋である放熱板１８とにより挟持され、本体上側部材１６に載置されて本体２内に収納される。
【００１９】
内釜４の素材は、磁性を有する金属であるステンレスあるいは炭素材料（カーボン）でも良い。また、その他にも、用途に応じて、土、金属などにより形成しても良い。たとえば、炊飯器１の加熱手段が誘導加熱によるものであれば、磁性を有する金属であるステンレスあるいは磁性材である炭素材料（カーボン）を選択できる。
【００２０】
蓋体３において内釜４の上端と対向する面には、蓋体３から取り外し自在な内蓋としての放熱板１８が設けられている。放熱板１８は、内釜４の開口を覆う。放熱板１８の上方の蓋ヒータ板１９には、放熱板１８に対する結露を抑制する蓋ヒータ２０が設けられている。また、放熱板１８の外周全周には、パッキン２１が設けられている。図２および図３に示すように、蓋体３が本体２の開口を閉塞した状態では、内釜４の上端部のフランジ部４ａとパッキン２１とが全周にわたって接触して密封状態となる。なお、パッキン２１を用いた排出構造１００は、後述する。なお、内蓋の一例として放熱板１８を例に挙げる。しかし、これに限られない。内蓋は、蓋ヒータ２０などが設けられていない蓋体３の内蓋でも良い。
【００２１】
図２および図３に示すように、炊飯器１は、本体２内に設けられ、内釜４の下部を加熱する加熱手段である誘導加熱コイル２２を備えている。誘導加熱コイル２２は、本体２内の下部のコイルベース２３に配置されている。また、炊飯器１は、本体２内に設けられ、内釜４の側部の胴回りを加熱する加熱手段である胴ヒータ２４を備えている。胴ヒータ２４は、本体２内の内釜４に対向する内壁の外側に配置されている。誘導加熱コイル２２と蓋ヒータ２０と胴ヒータ２４とは、収容した米を炊飯したり、炊き上がったご飯を保温したりする。なお、ここでは、加熱手段の一つとして誘導加熱コイル２２を挙げる。しかし、これに限られない。加熱手段は、たとえば、シーズヒータのような輻射式の加熱手段でも良い。
【００２２】
炊飯器１は、本体２内に設けられ、内釜４の下部中央部の温度を検知する温度センサ２５を備えている。温度センサ２５は、本体２内の内壁の孔部から突出する下部中央部に配置され、本体２に収容された内釜４の下部外面に接触する。
【００２３】
図２に示すように、炊飯器１は、誘導加熱コイル２２と蓋ヒータ２０と胴ヒータ２４とを制御する制御部を有する電源基板１０を備えている。電源基板１０には、温度センサ２５からの内釜４の温度情報が伝達される。電源基板１０は、本体２内の収容された内釜４よりも前方の内部空間２６に立てて設けられている。電源基板１０には、本体２の前方に突出する電源基板１０を冷却する放熱用のヒートシンク２７が配置されている。電源基板１０には、本体２の後部に収納されたコードリール２８から電力が供給される。
【００２４】
図２に示すように、炊飯器１は、誘導加熱コイル２２および電源基板１０を冷却する冷却風を発生させる冷却ファン２９を備えている。冷却ファン２９は、本体２内の収容された電源基板１０およびヒートシンク２７の前方に配置されている。冷却ファン２９は、電源基板１０により制御されて回転駆動されることにより、図示しない吸気口から外気を取り込み、電源基板１０に向けて後方に冷却風を流す。電源基板１０を冷却する冷却風は、電源基板１０のヒートシンク２７を冷却し、電源基板１０の下方側の風路を通過して誘導加熱コイル２２の配置された本体２内の下部かつ中央部に流れ込む。誘導加熱コイル２２を冷却する冷却風は、誘導加熱コイル２２の下方の内部空間３０を本体２の後方に向けて流れて誘導加熱コイル２２を冷却する。誘導加熱コイル２２を冷却した冷却風は、そのまま図示しない排出口から排出される。
【００２５】
＜炊飯器１の排出構造１００＞
図４は、本発明の実施の形態１に係る炊飯器１の排出構造１００を図３のＣ部で示す拡大図である。図５は、本発明の実施の形態１に係る炊飯器１の排出構造１００の排水状態を示す拡大図である。図６は、本発明の実施の形態１に係る炊飯器１の内蓋である放熱板１８を単体で立てた状態を示す説明図である。図７は、本発明の実施の形態１に係る炊飯器１の排出構造１００の排水状態を図６のＤ部で示す拡大図である。
【００２６】
図４〜図６のように、蓋体３は、蓋体３の下面側に取り付けられる放熱板１８を有している。放熱板１８には、パッキン２１が取り付けられている。パッキン２１は、内釜４の開口を覆うときに内釜４の上端部であるフランジ部４ａと接触して密封する。パッキン２１は、放熱板１８の下方に開口した断面Ｖ字状に折り曲げられた外周端部に、パッキン取付部材１７と組み合わせられてカシメ固定されている。
【００２７】
パッキン２１は、パッキン取付部材１７と組み合わせられ、放熱板１８に取り付けられる取付部２１ａを有している。取付部２１ａは、外周端縁からパッキン取付部材１７の上方に延出された内側壁部を外側から上方を回って内側に延出されている。パッキン２１は、取付部２１ａから半径方向の外方かつ下方に延出される第１環状部２１ｂを有している。第１環状部２１ｂは、下方に拡径されるテーパ状である。パッキン２１は、第１環状部２１ｂの下端部から屈曲して半径方向の内方かつ下方に延出され、外面が内釜４の上端部と接触する第２環状部２１ｃを有している。第２環状部２１ｃは、下方に縮径されるテーパ状である。パッキン２１における第１環状部２１ｂと第２環状部２１ｃとを繋げた断面形状は、Ｖ字形状に形成されている。パッキン２１は、後述する保持部３１に保持される範囲を他の範囲よりも厚肉に形成されている。
【００２８】
パッキン２１には、第１環状部２１ｂと第２環状部２１ｃとの間の隙間に溜まった、たとえば水などの液体を排出する排出部１０１が形成されている。排出部１０１は、放熱板１８に取り付けられ、パッキン２１における第１環状部２１ｂと第２環状部２１ｃとの間の隙間を広げるように第２環状部２１ｃをパッキン２１の屈曲力に抗ってめくって保持する保持部３１によって形成される。
【００２９】
保持部３１は、放熱板１８に取り付けられたパッキン取付部材１７に、放熱板１８の円周上１８０度対向した位置に２つ設けられている。保持部３１は、持ち手部３２に設けられている。持ち手部３２は、放熱板１８が蓋体３から取り外される際に使用者が手に持つ部分である。保持部３１は、パッキン取付部材１７の上側に位置する上半体３１ａと、上半体３１ａからパッキン取付部材１７の貫通孔１７ａを突き抜けて下方に延出された下半体３１ｂと、を有している。
【００３０】
保持部３１の上半体３１ａは、内側に、パッキン取付部材１７とカシメられた放熱板１８のカシメ部に上下方向に移動可能に規制される内側鍔部３１ａ１を有している。保持部３１の上半体３１ａは、外側に、パッキン取付部材１７の内向きに開口した溝１７ｂに上下方向に移動可能に規制される外側鍔部３１ａ２を有している。内側鍔部３１ａ１と外側鍔部３１ａ２とは、同じ高さに形成されている。
【００３１】
保持部３１の上半体３１ａは、保持部３１を上向きに付勢する弾性体であるバネ３３を格納した凹部３１ａ３を有している。図５に示すように、保持部３１の上半体３１ａにおける凹部３１ａ３の形成された部分は、放熱板１８よりも高く位置する突出部となっている。また、突出部が形成された状態で爪部３１ｂ１は、パッキン２１を保持できる。図３および図４に示すように、突出部である上半体３１ａは、放熱板１８を蓋体３に取り付けたときに、突出部である保持部３１の上半体３１ａが蓋体３に押圧され、保持部３１の下半体３１ｂを下方に押し下げる。これにより、突出部が突出した状態で保持部３１がパッキン２１を保持していても、下半体３１ｂが下方に下がり、爪部３１ｂ１がパッキン２１に係止できなくなり、パッキン２１の保持が解除される。なお、ここでは、バネ３３を弾性体の一例として挙げた。しかし、これに限られない。弾性体は、ゴムあるいは樹脂などでも良い。
【００３２】
図３〜図５に示すように、保持部３１の下半体３１ｂは、上半体３１ａから下方に延出された板状体である。保持部３１の下半体３１ｂには、下端部に内向きの爪部３１ｂ１を有している。図６および図７に示すように、爪部３１ｂ１は、保持部３１の中央部から離間して中央部の両側に設けられている。爪部３１ｂ１の無い保持部３１の中央部は、先端にこの先端ほど細くなる傾斜領域を有している。
【００３３】
図６に示すように、放熱板１８は、蓋体３から取り外された状態で、保持部３１を下側に位置させて表面を鉛直方向に平行に立てる支持部１８ａを有している。支持部１８ａの基部は、保持部３１の設けられた放熱板１８の円周位置から９０度離れた位置に設けられている。支持部１８ａの先端部は、基部から保持部３１を下側に位置させて放熱板１８を立てた状態で放熱板１８を支持できる長さ分延出させた先に設けられている。
【００３４】
＜炊飯器１の排出構造１００の動作＞
放熱板１８は、使用後に、使用者に持ち手部３２を持たれて蓋体３から取り外され、使用者が洗浄する。このような放熱板１８の洗浄を行うと、パッキン２１における第１環状部２１ｂと第２環状部２１ｃとの間の隙間に洗浄時の水が溜まって残る。その場合に、図５に示すように、使用者は、パッキン２１における第１環状部２１ｂと第２環状部２１ｃとの間の隙間を広げるように第２環状部２１ｃをパッキン２１の屈曲力に抗ってめくって爪部３１ｂ１に係止させる。そして、図６に示すように、使用者は、放熱板１８を保持部３１および支持部１８ａで支持させ、パッキン２１をめくった保持部３１を下側に位置させて表面を鉛直方向に平行に立てる。図７に示すように、保持部３１の中央部に爪部３１ｂ１で盛り上がっていない領域が形成されている。それにより、第１環状部２１ｂと第２環状部２１ｃとの間の隙間に溜まった水などの液体は、第２環状部２１ｃをめくって係止した両側の爪部３１ｂ１の間となる保持部３１の中央部から排出される。この効果は、保持部３１の先端が傾斜領域を有しているので、第１環状部２１ｂと第２環状部２１ｃとの間の隙間に溜まった水などの液体が、第２環状部２１ｃをめくった保持部３１から傾斜領域をたどって排出され易い。したがって、パッキン２１における第１環状部２１ｂと第２環状部２１ｃとの間の隙間に溜まった水などの液体が排出できる。
【００３５】
＜排出構造１００の他の例＞
図８は、本発明の実施の形態１に係る炊飯器１の排出構造１００の他の例を図３のＣ部で示す拡大図である。ここでは、実施の形態１に係る炊飯器１の排出構造１００の他の例について説明する。なお、その他の構成は、上記実施の形態と同様であるので、説明を省略する。図８に示すように、排出構造１００は、パッキン取付部材１７と保持部３１とが一体化されて放熱板１８に固定されていても良い。この場合には、保持部３１の上半体３１ａが放熱板１８よりも高くないように突出部を形成しない。これにより、保持部３１がパッキン２１の保持を蓋体３への取り付け時に自動的に解除されない。しかし、排出構造１００の構成が簡略化でき、低コスト化が図れる。
【００３６】
＜放熱板１８の他の例＞
図９は、本発明の実施の形態１に係る炊飯器１の内蓋である放熱板１８の他の例を示す説明図である。ここでは、実施の形態１に係る炊飯器１の放熱板１８の他の例について説明する。なお、その他の構成は、上記実施の形態と同様であるので、説明を省略する。図９に示すように、放熱板１８は、支持部１８ａを有しない構成であっても良い。
【００３７】
＜実施の形態１の効果＞
実施の形態１によれば、炊飯器１は、上方が開口した本体２を備えている。炊飯器１は、本体２の開口から本体２内に出し入れ自在に収納される上方が開口した内釜４を備えている。炊飯器１は、本体２に回動自在に設けられ、本体２の開口を覆う蓋体３を備えている。蓋体３は、蓋体３の下面側に取り付けられ、内釜４の開口を覆う内蓋である放熱板１８を有している。内蓋である放熱板１８は、内釜４の開口を覆うときに内釜４の上端部であるフランジ部４ａと接触して密封するパッキン２１を有している。パッキン２１は、内蓋である放熱板１８に取り付けられる取付部２１ａを有している。パッキン２１は、取付部２１ａから半径方向の外方かつ下方に延出される第１環状部２１ｂを有している。パッキン２１は、第１環状部２１ｂの下端部から屈曲して半径方向の内方かつ下方に延出され、外面が内釜４の上端部であるフランジ部４ａと接触する第２環状部２１ｃを有している。内蓋である放熱板１８には、第１環状部２１ｂと第２環状部２１ｃとの間の隙間に溜まった液体を排出する排出部１０１が形成されている。
【００３８】
この構成によれば、第１環状部２１ｂと第２環状部２１ｃとの間の隙間に溜まった液体は、排出部１０１から排出される。したがって、パッキン２１における第１環状部２１ｂと第２環状部２１ｃとの間の隙間に溜まった液体を排出できる。これにより、使用者がパッキン２１における第１環状部２１ｂと第２環状部２１ｃとの間の隙間に溜まった液体を拭き取る作業が必要なくなる。そのため、炊飯器１は、使用者の使い勝手が良い。
【００３９】
実施の形態１によれば、排出部１０１は、内蓋である放熱板１８に取り付けられ、パッキン２１における第１環状部２１ｂと第２環状部２１ｃとの間の隙間を広げるように第２環状部２１ｃをパッキン２１の屈曲力に抗ってめくって保持する保持部３１により形成される。
【００４０】
この構成によれば、保持部３１は、第２環状部２１ｃをパッキン２１の屈曲力に抗ってめくって保持できる。これにより、第１環状部２１ｂと第２環状部２１ｃとの間の隙間に溜まった液体は、第２環状部２１ｃをめくった保持部３１から排出される。したがって、パッキン２１における第１環状部２１ｂと第２環状部２１ｃとの間の隙間に溜まった液体を排出できる。
【００４１】
実施の形態１によれば、保持部３１は、パッキン２１における第１環状部２１ｂと第２環状部２１ｃとの間の隙間を広げるように第２環状部２１ｃをパッキン２１の屈曲力に抗って係止する爪部３１ｂ１を有している。爪部３１ｂ１は、保持部３１の中央部から離間して中央部の両側に設けられている。
【００４２】
この構成によれば、爪部３１ｂ１は、保持部３１の中央部から離間して第２環状部２１ｃをパッキン２１の屈曲力に抗って係止する。これにより、保持部３１の中央部に爪部３１ｂ１で盛り上がっていない領域が形成される。それにより、第１環状部２１ｂと第２環状部２１ｃとの間の隙間に溜まった液体は、第２環状部２１ｃをめくって係止した両側の爪部３１ｂ１の間となる保持部３１の中央部から排出される。したがって、パッキン２１における第１環状部２１ｂと第２環状部２１ｃとの間の隙間に溜まった液体を排出できる。
【００４３】
実施の形態１によれば、保持部３１は、第２環状部２１ｃを保持する先端に傾斜領域を有している。
【００４４】
この構成によれば、保持部３１の先端が傾斜領域を有している。それにより、第１環状部２１ｂと第２環状部２１ｃとの間の隙間に溜まった液体は、第２環状部２１ｃをめくった保持部３１から傾斜領域をたどって排出され易くなる。したがって、パッキン２１における第１環状部２１ｂと第２環状部２１ｃとの間の隙間に溜まった液体を排出できる。
【００４５】
実施の形態１によれば、内蓋である放熱板１８は、蓋体３から取り外す際に使用者が手に持つ持ち手部３２を有している。保持部３１は、持ち手部３２に設けられている。
【００４６】
この構成によれば、保持部３１が部品点数を増加させることなく設けられる。このため、低コスト化が図れる。なお、上記実施の形態では、保持部３１は、２つの持ち手部３２の両方に設けられていた。しかし、これに限られない。保持部３１は、少なくとも１つの持ち手部３２に設けられれば良い。
【００４７】
実施の形態１によれば、パッキン２１は、保持部３１に保持される範囲を他の範囲よりも厚肉に形成されている。
【００４８】
この構成によれば、第１環状部２１ｂと第２環状部２１ｃとの間の隙間に溜まった液体を排出するためにめくられる保持部３１に保持される範囲が厚肉に形成されている。このため、めくられる頻度が多くても変形せず、使用耐久性が向上できる。
【００４９】
実施の形態１によれば、内蓋である放熱板１８は、蓋体３から取り外された状態で、保持部３１を下側に位置させて表面を鉛直方向に平行に立てる支持部１８ａを有している。
【００５０】
この構成によれば、内蓋である放熱板１８は、たとえば洗浄などの後に、保持部３１を下側に位置させて表面を鉛直方向に平行に立てられる。これにより、内蓋である放熱板１８が立てられた間に、第１環状部２１ｂと第２環状部２１ｃとの間の隙間に溜まった液体が自重で立てた内蓋である放熱板１８を流れ落ちる。そして、流れ落ちた液体は、立てた内蓋である放熱板１８の下側に位置する保持部３１から排出される。
【００５１】
実施の形態１によれば、保持部３１は、蓋体３に取り付けられる側に突出部となる上半体３１ａを有している。保持部３１は、第２環状部２１ｃを保持した状態で蓋体３に取り付けたときに、突出部である上半体３１ａが蓋体３に押圧され、第２環状部２１ｃの保持を解除する。
【００５２】
この構成によれば、突出部である上半体３１ａが蓋体３に押圧され、第２環状部２１ｃの保持が解除される。そのため、使用者が第２環状部２１ｃをめくって保持部３１に保持した状態であっても、内蓋である放熱板１８が蓋体３に取り付けられる作業だけで、パッキン２１のめくれが解消され、パッキン２１がご飯を炊ける状態に戻れる。このため、使用者がパッキン２１のめくれを戻す作業を忘れても、パッキン２１のめくれがご飯を炊く前に解消でき、使用者の利便性が良い。
【００５３】
実施の形態２．
＜排出構造１００＞
図１０は、本発明の実施の形態２に係る炊飯器１の排出構造１００を図３のＣ部で示す拡大図である。図１１は、本発明の実施の形態２に係る炊飯器１の排出構造１００を炊飯器１の使用状態で示す拡大図である。図１２は、本発明の実施の形態２に係る炊飯器１の内蓋である放熱板１８を蓋体３の開いた状態で示す説明図である。図１３は、本発明の実施の形態２に係る炊飯器１の内蓋である放熱板１８を単体で立てた状態を示す説明図である。実施の形態２では、排出部１０１として孔部３４を有した特徴部分のみを説明する。その他の構成は、上記実施の形態と同様であるので、説明を省略する。
【００５４】
図１０〜図１３に示すように、排出部１０１は、第１環状部２１ｂにおける第２環状部２１ｃに繋がる屈曲部近傍にて内面と外面とに貫通した孔部３４である。
【００５５】
図１１に示すように、孔部３４は、放熱板１８が蓋体３に取り付けられた状態で、放熱板１８が内釜４の開口を覆うときに、放熱板１８のパッキン取付部材１７に塞がれる。孔部３４の半径方向外側には、上方に突出した環状突起部３５が形成されている。このため、孔部３４は、放熱板１８が蓋体３に取り付けられた状態で、放熱板１８が内釜４の開口を覆うときに、環状突起部３５が放熱板１８のパッキン取付部材１７に接触して密封されることにより、完全に塞がれる。
【００５６】
図１２に示すように、孔部３４は、放熱板１８が蓋体３に取り付けられた状態で、放熱板１８が内釜４の開口を開放するように本体２から開かれたときに、放熱板１８の中心より上側の位置、特に図示では最上位置に形成されている。
【００５７】
図１３に示すように、使用者は、放熱板１８を一対の支持部１８ａで支持させ、孔部３４を下側に位置させて表面を鉛直方向に平行に立てる。それにより、第１環状部２１ｂと第２環状部２１ｃとの間の隙間に溜まった水などの液体は、孔部３４から排出される。したがって、パッキン２１における第１環状部２１ｂと第２環状部２１ｃとの間の隙間に溜まった水などの液体が排出できる。
【００５８】
＜排出構造１００の他の例＞
図１４は、本発明の実施の形態２に係る炊飯器１の排出構造１００の他の例を図３のＣ部で示す拡大図である。図１５は、本発明の実施の形態２に係る炊飯器１の排出構造１００の他の例を炊飯器１の使用状態で示す拡大図である。ここでは、実施の形態２に係る炊飯器１の排出構造１００の他の例について説明する。なお、その他の構成は、上記実施の形態と同様であるので、説明を省略する。図１４および図１５に示すように、パッキン取付部材１７には、下方に突出した孔部３４を囲む環状突起部３６が形成されている。このため、孔部３４は、放熱板１８が蓋体３に取り付けられた状態で、放熱板１８が内釜４の開口を覆うときに、パッキン２１が放熱板１８のパッキン取付部材１７に設けられた環状突起部３６に周りを囲まれて接触して密封されることにより、完全に塞がれる。
【００５９】
なお、実施の形態２でも、実施の形態１と同様に、放熱板１８を立てて支持する支持部１８ａを有していても良い。
【００６０】
＜実施の形態２の効果＞
実施の形態２によれば、排出部１０１は、第１環状部２１ｂにおける第２環状部２１ｃに繋がる屈曲部近傍にて内面と外面とに貫通した孔部３４である。孔部３４は、内蓋である放熱板１８が蓋体３に取り付けられた状態で、放熱板１８が内釜４の開口を覆うときに、内蓋である放熱板１８に塞がれる。
【００６１】
この構成によれば、孔部３４は、第１環状部２１ｂにおける第２環状部２１ｃに繋がる屈曲部近傍にて内面と外面とに貫通している。これにより、第１環状部２１ｂと第２環状部２１ｃとの間の隙間に溜まった液体は、孔部３４を流通して排出される。特に、孔部３４が第１環状部２１ｂにおける第２環状部２１ｃに繋がる屈曲部近傍に形成されることにより、内蓋である放熱板１８が立てられて孔部３４が下に位置すれば、溜まった液体が残らず排出できる。したがって、パッキン２１における第１環状部２１ｂと第２環状部２１ｃとの間の隙間に溜まった液体を排出できる。
【００６２】
実施の形態２によれば、孔部３４は、内蓋である放熱板１８が蓋体３に取り付けられた状態で、放熱板１８が内釜４の開口を開放するように本体２から開かれたときに、内蓋である放熱板１８の中心より上側の位置に形成されている。
【００６３】
この構成によれば、たとえばご飯が炊き上がった後などには、水滴が内蓋である放熱板１８に付着している。そのときに蓋体３が本体２から開かれると、内蓋である放熱板１８に付着した水滴が自重で下方に流れ落ちる。このとき、孔部３４は、内蓋である放熱板１８の中心より上側に位置している。そのため、流れ落ちる水滴は、孔部３４に流れ込まない。それにより、水滴が孔部３４に流入し、内蓋である放熱板１８や本体２（の上面）を汚すことが防止できる。
【００６４】
実施の形態２によれば、内蓋である放熱板１８は、蓋体３から取り外された状態で、孔部３４を下側に位置させて表面を鉛直方向に平行に立てる支持部１８ａを有している。
【００６５】
この構成によれば、内蓋である放熱板１８は、たとえば洗浄などの後に、孔部３４を下側に位置させて表面を鉛直方向に平行に立てられる。これにより、内蓋である放熱板１８が立てられた間に、第１環状部２１ｂと第２環状部２１ｃとの間の隙間に溜まった液体が自重で立てた内蓋である放熱板１８を流れ落ちる。そして、流れ落ちた液体は、立てた内蓋である放熱板１８の下側に位置する孔部３４から排出される。
【００６６】
なお、今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１  炊飯器、２  本体、３  蓋体、３ａ  係合部、４  内釜、４ａ  フランジ部、５  表示パネル、６  表示窓、７  基板室、８  操作部、９  操作表示基板、１０  電源基板、１１  排気口、１２  排気カートリッジ、１３  係止解除ボタン、１３ａ  係止部、１４  回動軸、１５  付勢バネ、１６  本体上側部材、１７  パッキン取付部材、１７ａ  貫通孔、１７ｂ  溝、１８  放熱板、１８ａ  支持部、１９  蓋ヒータ板、２０  蓋ヒータ、２１  パッキン、２１ａ  取付部、２１ｂ  第１環状部、２１ｃ  第２環状部、２２  誘導加熱コイル、２３  コイルベース、２４  胴ヒータ、２５  温度センサ、２６  内部空間、２７  ヒートシンク、２８  コードリール、２９  冷却ファン、３０  内部空間、３１  保持部、３１ａ  上半体、３１ａ１  内側鍔部、３１ａ２  外側鍔部、３１ａ３  凹部、３１ｂ  下半体、３１ｂ１  爪部、３２  持ち手部、３３  バネ、３４  孔部、３５  環状突起部、３６  環状突起部、１００  排出構造、１０１  排出部。
【図１】
2018153315.tif 000003
【図２】
2018153315.tif 000004
【図３】
2018153315.tif 000005
【図４】
2018153315.tif 000006
【図５】
2018153315.tif 000007
【図６】
2018153315.tif 000008
【図７】
2018153315.tif 000009
【図８】
2018153315.tif 000010
【図９】
2018153315.tif 000011
【図１０】
2018153315.tif 000012
【図１１】
2018153315.tif 000013
【図１２】
2018153315.tif 000014
【図１３】
2018153315.tif 000015
【図１４】
2018153315.tif 000016
【図１５】
2018153315.tif 000017